(57)【要約】【課題】本考案は、納棺時に綿繊維で作成される花嫁衣裳により、遺体を豪華に演出する衣裳を提供することを特徴とするものである。【解決手段】この遺体花嫁衣裳飾りは、納棺時に予め所定に裁断された「だて襟１、着物襟２、帯３、帯留め４、着物下５、裾除け６、内かけ７、顔あて８、頭あて９、綿帽子１０、懐剣１１、履物１２」の１２種の部品からなり、その部品を各説明及び図面に基づいて折ったり切ったりして各部品を成形し、配置図に基づいて配置することにより棺に納められた遺体に花嫁衣裳飾り１３を形成することを特徴とするものである。【選択図】図１
0003102160.tif 000002
【実用新案登録請求の範囲】
【請求項１】
この遺体花嫁衣裳飾りは、納棺時に予め所定に裁断された「すそ襟１、だて襟２、帯３、帯留め４、着物下５、置き裾６、内かけ７、顔あて８、頭あて９、綿帽子１０、懐剣１１、履物１２」の１２種の部品からなり、その部品を各説明及び図面に基づいて折ったり、切ったりして各部品を成形し、配置図に基づいて配置することにより棺に納められた遺体に花嫁衣裳飾り１３を形成することを特徴とするものである。
【請求項２】
前記衣裳のほか、女性に付いてはウエディングドレス、男性に付いては、紋付羽織袴、シルクハットにモーニング姿の衣裳を用意し、その部品を各説明及び図面に基づいて折ったり、切ったりして各部品を成形し、配置図に基づいて配置することにより棺に納められた遺体に夫々の飾りを形成することを特徴とする請求項１記載の遺体飾りである。
【考案の詳細な説明】
【技術分野】
【０００１】  本考案は、納棺時に綿繊維で作成される花嫁衣裳の各部分品を配置図に基づいて配置し、遺体に飾ることに関するものである。
【背景技術】
【０００２】  納棺葬儀の際は、遺体に化粧を行い、菅笠、脚半、草鞋姿等と遺体を華麗に飾り立てる風習があった。最近では「遺体の顔を覆うベール」、「遺体用ドレス掛け布団」、「ファイナルステージ用ベール」の遺体を飾り付けるものなどがあるが、何れのものも既製品で、心がこもったようには見えないので、納棺時に関係者が自ら個人をより美しく花嫁姿に飾りつけることにより、個人に対する家族の思いが満たされるものが考案されたものである。【０００３】  従来からの技術として公開されたものでは「遺体の顔を覆うベール」、「遺体用ドレス掛け布団」、「ファイナルステージ用ベール」の遺体を飾り付けるものとして次に示すものがある。
【特許文献１】特開２００３−１０２６７は、「遺体の顔を覆うベール」に係る発明である。
その構成は、遺体１２の顔を透き通して見ることができる程度の繊維密度を有するオーガンディー、妙、チュール、不織布あるいは薄葉紙の中から選ばれたベール１１であって、該ベール１１と遺体１２の顔との間に空間を形成する手段を備えたものであり、上記空間を形成する手段として段撥性のある透明フィルム１５を採用して遺体１２の顔の軸方向に湾曲させ、必要ならば周囲を残して刳り抜き枠状としたものである。
【実用文献２】
実用新案登録第３０８２７８７号は、「遺体用ドレス掛け布団」に係る考案である。
その構成は、極薄い布団の上に、レースやチュール、綺麗な布等１でドレスのように作ったものを、綿等を入れて立体的に貼り付ける。髪をまとめるカチューシャを大きくしたような物３などで、ウェストに取り付ければ、より立体感が得られる。胸の辺りにブーケを持ったように造花、リボン、ビーズ等で飾り２をつけることも出来る。
【実用文献３】
実用新案登録第３０８２９００号は、「ファイナルステージ用ベール」に係る考案である。
その構成は、レースやチュール、綺麗な布等１に、造花、リボン、ビーズ等で飾り２をつけ、遺体の頭にピンや櫛、カチューシャ等３で留めたり、そのまま掛けたりする物である。
【０００４】  しかし、上記いずれの遺体飾りのものは、既製された物をのせたり、はさんだりして飾り立てても余りにも義務的であって、遺族、親族は、他界した故人の旅出を美しく飾ってあげる満足感を得ることができないなどの問題点がある。
【考案の開示】
【考案が解決しようとする課題】
【０００５】  この考案に係る納棺時に綿繊維で作成される遺体花嫁衣裳飾りは、納棺時に予め所定に裁断された平たい綿繊維の衣裳１２部品からなり、その各部品には符号、説明及び配置図が付されており、その符号、説明及び配置図に基づいて折ったり、切ったりして各部品を成形し、配置図に基づいて配置することにより、棺に納められた遺体に花嫁衣裳の飾りを形成することを特徴とするものである。【０００６】  この花嫁衣裳飾り付けは、葬祭担当専門者によれば納棺の際、数分間で家族親族の見守るところで、その作業は終了するものである。
また、納棺に時間的余裕があれば、この花嫁衣裳飾り付けは、その符号、説明及び配置図に基づいて、家族、親族で花嫁衣裳に付された各部品の番号順に担当者を決めて作成したものを遺体に納めることにより、家族親族全員で心のこもった花嫁衣裳を飾ることが出来るものである。
更に、その作成に比較的手の込んだ物に付いては、例えば、履物のようにその作成に手の込んだ物は、心をこめて作成し納棺することも出来るものであります。
【課題を解決するための手段】
【０００７】  上記目的を有する請求項１の遺体花嫁衣裳飾りは、納棺時に予め所定に裁断された「すそ襟、だて襟、帯、帯留め、着物下、置き裾、内かけ、顔あて、頭あて、綿帽子１、懐剣、履物」の１２種の部品からなり、その部品を各説明及び図面に基づいて折ったり、切ったりして各部品を成形し、配置図に基づいて配置することにより棺に納められた遺体に花嫁衣裳飾りを形成することを特徴とするものである。【０００８】  そして、請求項２の考案に係るものは、前記衣裳のほか、女性に付いてはウエディングドレス、男性に付いては、紋付羽織袴、シルクハットにモーニング姿の衣裳を用意し、その部品を各説明及び図面に基づいて折ったり、切ったりして各部品を成形し、配置図に基づいて配置することにより棺に納められた遺体に夫々の飾りを形成することを特徴とする請求項１記載の遺体飾りである。
【考案の効果】
【０００９】  以上、説明したように、本考案のお棺に納められた遺体の装飾は、遺体の尊厳と遺族の他界された方へ思いやり及び他界への旅支を整えたものである。
例えば、履物のように、飾り付けの中で最も手の込んだものであるが、折り紙、工作のように低学年の生徒でも出来るので、故人の最も近親の家族で、手分けして気持ちをこめて飾り付けることにより故人にも喜んでもらえると共に精一杯美しく送ることで、残された遺族の心を癒し、満たすもので、そこ効果は抜群である。【００１０】  そして、お棺に納められた遺体の装飾は、純綿繊維製品から作られているものであるから、火葬の際、綿繊維の効果により火力が強くなり、火葬時間の短縮と遺骨が白く綺麗に火葬され、火葬関係者の火葬待ち時間の短縮が計られる効果があるほか、火葬の際、綿繊維の効果により火力が強くなるとしても、焼却炉の損傷はない等の優れた効果を有するものである。
【考案を実施するための最良の形態】
【００１１】  したがって、本考案お棺に納められた遺体の装飾は、純綿繊維製品から作られているものであるから軽量でその取扱いは極めて簡単であり、その飾り付けは専門家であれば、家族、親族の見ている前で飾り付けが簡単に出来るものである。
【実施例】
【００１２】  図１は本考案の納棺時に綿繊維で飾られた花嫁衣裳１３の完成図である。
図２乃至図１４は、本考案の納棺時に綿繊維で作成される花嫁衣裳の１２種類の部品「すそ襟１、だて襟２、帯３、帯留め４、着物下５、置き裾６、内かけ７、顔あて８、頭あて９、綿帽子１０、懐剣１１、履物１２」についての配置と作成について説明したものである。
図１５乃至図１７は、従来技術で示された「特許文献１乃至実用文献２・３」の各発明及び考案に係る説明図である。【００１３】  以下、本考案に係る考案について、図面に基づいてその手順を説明します。
１番目には、図２の（ａ）に示すように、遺体を納棺し、白い布１４を被せ、すそ襟１の２枚を右から順次置いて左前になるよう飾り付けを行うものである。「図２（ａ）、（ｂ）、（ｃ）参照。」
２番目には、図３の（ａ）に示すように、すそ襟１を左前に飾り付けた状態の上に家紋２ｃを圧印した、だて襟２を左前になるようにだて襟２ａ，２ｂを飾り付けを行うものである。「図３（ａ）、（ｂ）、（ｃ）、（ｄ）参照。」【００１４】  ３番目には、図４の（ａ）に示すように、家紋２ｃを圧印した、だて襟２を左前に飾り付け、その下側に帯３を配置し、飾り付けを行うものである。
そして、帯３の作成方法は、図（ｃ）に示すとおり一点鎖線３ａは山折りにし２点鎖線３ｂは谷折りにして、帯の折り込みを行い帯３を作り飾り付けを行うものである。「図４（ａ）、（ｂ）、（ｃ）、（ｄ）参照。」【００１５】  ４番目には、図５の（ａ）に示すように、帯３の横中央部分に帯留め４を配置して飾り付けを行うものである。
帯留め４は、帯留め用の細長い綿４ａを横に丸めて紐状４ｂを２本作り、その２本をそれぞれ二つ折りにして、その湾曲部分に２本の末端をそれぞれ上から下へと下から上へと交差するように通して双方の末端部分４ａ１，４ｂ２を引くと帯留め４が出来あがるものである。「図５（ａ）、（ｂ）、（ｃ）、（ｄ）、（ｅ）参照。」【００１６】  ５番目には、図６の（ａ）に示すように、帯３の下側部分に着物下を配置して飾り付けを行うものである。
着物下の折り込みは、（ｃ）に示すよう左前に見えるようにタックをとった折り込み状態に形成するもので、一点鎖線５ａは山折りに、２点鎖線５ｂは谷折りにして作成するものである。「図６（ａ）、（ｂ）、（ｃ）、（ｄ）参照。」
６番目には、図７の（ａ）に示すように、着物下の下端部分に、置き裾６を配置するものである。「図７（ａ）、（ｂ）、（ｃ）参照。」【００１７】  ７番目には、図８の（ａ）に示すよう両脇に内かけ上下７ａ１，７ａ２と７ａ１，７ｂ２を配置して飾り付けを行うものである。
内かけ７の折り込みは、（ｃ）に示すよう内かけ用の縦長の長方形の綿７を両外側の２点鎖線７ｃ１，７ｃ２を内側に谷折りし、更に、中央の２点鎖線７ｄを内側に谷折りして作成する。そして内かけの上７ａ１，７ａ２と下７ｂ１，７ｂ２の繋ぎは上側の下端下側の上段を差し込むようにして繋ぎ、飾り付けを行うものである。「図８（ａ）、（ｂ）、（ｃ）、（ｄ）、（ｅ）参照。」【００１８】    ８番目には、図９の（ａ）に示すよう、顔の両脇に顔あて８ａ，８ｂを配置して飾り付けを行うものである。
顔あて９図（ｃ）は、顔あて用の横長の長方形の綿で図示していないが２枚用意してあり顔の左右に置かれる、示すように、一点鎖線８ｃは山折りにし、２点鎖線８ｄは、谷折りに折り込んで顔あて８ａ，８ｂを作成し飾り付けを行うものである。「図９（ａ）、（ｂ）、（ｃ）、（ｄ）参照。」【００１９】    ９番目には、図１０の（ａ）に示すよう、頭の上に頭置きを配置して飾り付けを行うものである。
頭置き１０図（ｃ）は、頭置き用の横長な長方形の綿で、図（ｃ）に示すように、一点鎖線９ａは山折りにし、頭あてを作成するものである。「図１０（ａ）、（ｂ）、（ｃ）、（ｄ）参照。」【００２０】    １０番目には、図１１頭と顔の部分に綿帽子を配置して飾り付けを行うものである。
綿帽子１１図（ｃ）は、綿帽子用の横長な長方形の綿で示すように、一点鎖線１０ａは山折りにし、さらにこれを図（ｄ）に示すよう、少し曲線からなる一点鎖線１０ｂを山折りにし、膨らませて綿帽子を作成し飾り付けを行うものである。「図８（ａ）、（ｂ）、（ｃ）、（ｄ）、（ｅ）参照。」【００２１】    １１番目には、懐剣１１の作成であるが図１２の（ａ）乃至（ｇ）に作成手順を示している。図（ａ）に示すよう懐剣は、幅８ｃｍ長さ３０ｃｍの大きさのものを左側から２点鎖線１１ａ，１１ｂを谷折りして図（ｂ）に示すようこれを二つ折りして懐剣１１を形成する。
そして、図（ｃ）に示す両端に房の付いたに紐を用いて図（ｄ）乃至図（ｇ）のように結んで懐剣を作りを完成する。この懐剣は、図１４（ａ）に示すとおり、右側のだて襟２と帯３の箇所に懐剣１１を差し込み懐剣１１の飾り付けを完了するものである。【００２２】    １２番目には、図１３（ａ）に示すとおり履物１２は、左右あるので２枚の幅２５ｃｍ長さ６０ｃｍ大きさの薄い綿を端から１０ｃｍ程をそれぞれ手でちぎり離し、その切り離した側が、外側になるように巻き込んで図（ｂ）に示す紐状１２ｂにする。その末端を５ｃｍ程を切り離し、その短い方は図（ｃ）に示す紐状１２ｃにして鼻緒として用い、長い方は履物１２の緒として用いるので２組作成する。【００２３】  一方、履物用の２枚の薄い綿図は、（ｄ）に示すとおり両側を５ｃｍ巾に内側にそれぞれ２点鎖線１２ｄ，１２ｅ谷折りし、それを上部３分の１を外側になるよう１点鎖線１２ｆを山折りし、下部の３分の１を内側になるよう２点鎖線１２ｇを谷折りして、履物の原型を２組作る。
その原型をそれぞれ図（ｅ）に示すとおり上部山折り部分の両端部点線１２ｈをそれぞれ３角に折り込み、更に、下端部の両端点線１２ｈをそれぞれ３角に折り込んで図（ｆ）を形成する。【００２４】  そして、図（ｇ）に示すとおりそれぞれ表の上部内側から３分の１のところ１２ｉを３ｃｍ程を切り込みを入れる。図（ｈ）、図（ｉ）の点線で示すそれぞれ端部１２ｊを３角に山折りし、更に、上辺１２ｋを少し山折りして履物を形成し、そこに図（ｊ）乃至図（ｍ）に示す履物の緒及び鼻緒をそれぞれ端部１２ｍを差し込んで履物１２図（ｎ）を完成するものである。この履物１２は図１４（ａ）に示すとおり、着物下の下端部中央部分に一足揃えて置くことにより飾り付けを完了するものである。【００２５】  また、他の実施例としては図示していないが、請求項２に記載してあるように女性に係る花嫁衣裳のみでなく、男性に付いては、紋付羽織袴姿、シルクハットにモーニング姿の衣裳を用意し、女性に付いてはウエディングドレス姿のものが用意されている。
そして、納棺の際には、故人の生前の活動されていた最も相応しい姿を思い出して貰うべく、家族又は親族が選定し、実施するものである。
【図面の簡単な説明】
【００２６】
【図１】  本考案の納棺時に綿繊維で飾られた花嫁衣裳１３の完成図である。
【図２】  （ａ）遺体を納棺し、白い布を被せ、すそ襟を左前に飾り付けた棺の平面説明図である。  （ｂ）遺体を納棺し、白い布を被せ、すそ襟を左前に飾り付けた棺の側面を取除いた側面説明図である。  （ｃ）すそ襟平面図である。
【図３】  （ａ）遺体を納棺し、白い布を被せ、すそ襟を左前に飾り付けた状態の上に家紋を圧印しただて襟を左前に飾り付けた棺の平面説明図である。  （ｂ）遺体を納棺し、白い布を被せ、すそ襟を左前に飾り付けた状態の上に家紋を圧印しただて襟を左前に飾り付けた棺の側面を取除いた側面説明図である。  （ｃ）だて襟右側平面図である。  （ｄ）だて襟左側平面図である。
【図４】  （ａ）遺体を納棺し、白い布を被せ、すそ襟を左前に飾り付けた状態の上に家紋を圧印しただて襟を左前に飾り付け、その下側に帯を配置した棺の平面説明図である。  （ｂ）遺体を納棺し、白い布を被せ、すそ襟を左前に飾り付けた状態の上に家紋を圧印しただて襟を左前に飾り付け、その下側に帯を配置した棺の側面を取除いた側面説明図である。  （ｃ）帯の折り込み状態説明平面図である。  （ｄ）帯の完成平面図で点線は折り込み状態を説明するものである。
【図５】  （ａ）図５帯の横中央部分に帯留めを配置した棺の平面説明図である。  （ｂ）図４帯の横中央部分に帯留めを配置した棺の側面を取除いた側面説明図である。  （ｃ）帯留めの材料平面図である。  （ｄ）上記帯留めの材料を横に丸めて紐状にした平面説明図である。  （ｅ）上記帯留めの作成状態平面説明図である。
【図６】  （ａ）図６帯の下側部分に着物下を配置した棺の平面説明図である。  （ｂ）図５帯の下側部分に着物下を配置し、棺の側面を取除いた側面説明図である。  （ｃ）着物下の折り込み状態説明平面図である。  （ｄ）着物下の完成平面図で、左前に見えるようにタックをとった折り込み状態を説明するものである。
【図７】  （ａ）図７の着物下の下端部分に、置き裾を配置した棺の平面説明図である。  （ｂ）図６の着物下の下端部分に、置き裾を配置し、棺の側面を取除いた側面説明図である。  （ｃ）置き裾の平面図である。
【図８】  （ａ）図８の両脇に内かけ上下を配置した棺の平面説明図である。  （ｂ）図７の両脇に内かけ上下を配置し、棺の側面を取除いた側面説明図である。  （ｃ）内かけの材料平面図で、一点鎖線及び鎖線は、折り込み状態説明平面図である。  （ｄ）前記一点鎖線の折り込み状態説明斜視図である。  （ｅ）内かけ完成斜視図である。
【図９】  （ａ）図９の顔の両脇に顔あてを配置した棺の平面説明図である。  （ｂ）図８の顔の両脇に顔あてを配置し、棺の側面を取除いた側面説明図である。  （ｃ）顔あての材料平面図で、一点鎖線及び鎖線は、折り込み状態説明平面図である。  （ｄ）顔あて完成斜視図である。
【図１０】  （ａ）図１０の頭の上に頭置きを配置した棺の平面説明図である。  （ｂ）図９の顔の上に頭置きを配置し、棺の側面を取除いた側面説明図である。  （ｃ）頭置きの材料平面図で、一点鎖線は、折り込み状態説明平面図である。  （ｄ）頭置き完成斜視図である。
【図１１】  （ａ）図１１綿帽子を配置した棺の平面の頭の上に説明図である。  （ｂ）図１０綿帽子を配置し、棺の側面を取除いた側面説明図である。  （ｃ）綿帽子の材料平面図で、一点鎖線は、折り込み状態説明平面図である。  （ｄ）綿帽子の材料平面図の一点鎖線を折り込んだ状態説明平面図で、一点鎖線はさらに折り込む状態の説明平面図である。  （ｅ）綿帽子の完成斜視図である。
【図１２】  （ａ）乃至（ｇ）は懐剣の作成説明図である、
【図１３Ａ】  （ａ）乃至（ｇ′）は履物の作成説明図である。
【図１３Ｂ】  （ｈ）乃至（ｍ）は履物の作成説明図である。
【図１４】  （ａ）図１４の右側のだて襟と帯の場所に懐剣を差し込み，足の部分に履物を配置した棺の平面説明図であると共に花嫁姿の完成図である。  （ｂ）図１１の右側のだて襟と帯の場所に懐剣を差し込み，足の部分に履物を配置し、棺の側面を取除いた側面説明図である。
【図１５】  従来技術「特許文献１」の特開平特開２００３−１０２６７「遺体の顔を覆うベール」に係る発明の説明図である。
【図１６】  従来技術「実用文献２」の実用新案登録第３０８２７８７号「遺体用ドレス掛け布団」に係る考案の説明図である。
【図１７】  従来技術「実用文献３」の実用新案登録第３０８２９００号「ファイナルステージ用ベール」に係る考案の説明図である。
【符号の説明】
【００２７】  １    すそ襟
２    だて襟
３    帯
４    帯留め
５    着物下
６    置き裾
７    内かけ
８    顔あて
９    頭あて
１０  綿帽子
１１  懐剣
１２  履物
１３  花嫁衣裳
【図１】
0003102160.tif 000003
【図２】
0003102160.tif 000004
【図３】
0003102160.tif 000005
【図４】
0003102160.tif 000006
【図５】
0003102160.tif 000007
【図６】
0003102160.tif 000008
【図７】
0003102160.tif 000009
【図８】
0003102160.tif 000010
【図９】
0003102160.tif 000011
【図１０】
0003102160.tif 000012
【図１１】
0003102160.tif 000013
【図１２】
0003102160.tif 000014
【図１３Ａ】
0003102160.tif 000015
【図１３Ｂ】
0003102160.tif 000016
【図１４】
0003102160.tif 000017
【図１５】
0003102160.tif 000018
【図１６】
0003102160.tif 000019
【図１７】
0003102160.tif 000020
【手続補正書】
【提出日】平成16年1月5日(2004.1.5)
【手続補正３】
【補正対象書類名】実用新案登録請求の範囲
【補正対象項目名】請求項１
【補正方法】変更
【補正の内容】
【請求項１】
この遺体花嫁衣裳飾りは、納棺時に予め所定に裁断された「だて襟１、着物襟２、帯３、帯留め４、着物下５、裾除け６、内かけ７、顔あて８、頭あて９、綿帽子１０、懐剣１１、履物１２」の１２種の部品からなり、その部品を各説明及び図面に基づいて折ったり、切ったりして各部品を成形し、配置図に基づいて配置することにより棺に納められた遺体に花嫁衣裳飾り１３を形成することを特徴とするものである。
【手続補正４】
【補正対象書類名】明細書
【補正対象項目名】全文
【補正方法】変更
【補正の内容】
【考案の詳細な説明】
【技術分野】
【０００１】  本考案は、納棺時に綿繊維で作成される花嫁衣裳の各部分品を配置図に基づいて配置し、遺体に飾ることに関するものである。
【背景技術】
【０００２】  納棺葬儀の際は、遺体に化粧を行い、菅笠、脚半、草鞋姿等と遺体を華麗に飾り立てる風習があった。最近では「遺体の顔を覆うベール」、「遺体用ドレス掛け布団」、「ファイナルステージ用ベール」の遺体を飾り付けるものなどがあるが、何れのものも既製品で、心がこもったようには見えないので、納棺時に関係者が自ら個人をより美しく花嫁姿に飾りつけることにより、個人に対する家族の思いが満たされるものが考案されたものである。【０００３】  従来からの技術として公開されたものでは「遺体の顔を覆うベール」、「遺体用ドレス掛け布団」、「ファイナルステージ用ベール」の遺体を飾り付けるものとして次に示すものがある。
【特許文献１】特開２００３−１０２６７は、「遺体の顔を覆うベール」に係る発明である。
その構成は、遺体１２の顔を透き通して見ることができる程度の繊維密度を有するオーガンディー、妙、チュール、不織布あるいは薄葉紙の中から選ばれたベール１１であって、該ベール１１と遺体１２の顔との間に空間を形成する手段を備えたものであり、上記空間を形成する手段として段撥性のある透明フィルム１５を採用して遺体１２の顔の軸方向に湾曲させ、必要ならば周囲を残して刳り抜き枠状としたものである。
【実用文献２】
実用新案登録第３０８２７８７号は、「遺体用ドレス掛け布団」に係る考案である。
その構成は、極薄い布団の上に、レースやチュール、綺麗な布等１でドレスのように作ったものを、綿等を入れて立体的に貼り付ける。髪をまとめるカチューシャを大きくしたような物３などで、ウェストに取り付ければ、より立体感が得られる。胸の辺りにブーケを持ったように造花、リボン、ビーズ等で飾り２をつけることも出来る。
【実用文献３】
実用新案登録第３０８２９００号は、「ファイナルステージ用ベール」に係る考案である。
その構成は、レースやチュール、綺麗な布等１に、造花、リボン、ビーズ等で飾り２をつけ、遺体の頭にピンや櫛、カチューシャ等３で留めたり、そのまま掛けたりする物である。
【０００４】  しかし、上記いずれの遺体飾りのものは、既製された物をのせたり、はさんだりして飾り立てても余りにも義務的であって、遺族、親族は、他界した故人の旅出を美しく飾ってあげる満足感を得ることができないなどの問題点がある。
【考案の開示】
【考案が解決しようとする課題】
【０００５】  この考案に係る納棺時に綿繊維で作成される遺体花嫁衣裳飾りは、納棺時に予め所定に裁断された平たい綿繊維の衣裳１２部品からなり、その各部品には符号、説明及び配置図が付されており、その符号、説明及び配置図に基づいて折ったり、切ったりして各部品を成形し、配置図に基づいて配置することにより、棺に納められた遺体に花嫁衣裳の飾りを形成することを特徴とするものである。【０００６】  この花嫁衣裳飾り付けは、葬祭担当専門者によれば納棺の際、数分間で家族親族の見守るところで、その作業は終了するものである。
また、納棺に時間的余裕があれば、この花嫁衣裳飾り付けは、その符号、説明及び配置図に基づいて、心のこもった花嫁衣裳を飾ることが出来るものである。
更に、その作成に比較的手の込んだ物に付いては、例えば、履物のようにその作成に手の込んだ物は、心をこめて作成し納棺することも出来るものであります。
【課題を解決するための手段】
【０００７】  上記目的を有する請求項１の遺体花嫁衣裳飾りは、納棺時に予め所定に裁断された「だて襟、着物襟、帯、帯留め、着物下、裾除け、内かけ、顔あて、頭あて、綿帽子、懐剣、履物」の１２種の部品からなり、その部品を各説明及び図面に基づいて折ったり、切ったりして各部品を成形し、配置図に基づいて配置することにより棺に納められた遺体に花嫁衣裳飾りを形成することを特徴とするものである。【０００８】  そして、請求項２の考案に係るものは、前記衣裳のほか、女性に付いてはウエディングドレス、男性に付いては、紋付羽織袴、シルクハットにモーニング姿の衣裳を用意し、その部品を各説明及び図面に基づいて折ったり、切ったりして各部品を成形し、配置図に基づいて配置することにより棺に納められた遺体に夫々の飾りを形成することを特徴とする請求項１記載の遺体飾りである。
【考案の効果】
【０００９】  以上、説明したように、本考案のお棺に納められた遺体の装飾は、遺体の尊厳と遺族の他界された方へ思いやり及び他界への旅支度を整えたものである。
気持ちをこめて飾り付けることにより故人にも喜んでもらえると共に精一杯美しく送ることで、残された遺族の心を癒し、満たすもので、そこ効果は抜群である。【００１０】  そして、お棺に納められた遺体の装飾は、純綿繊維製品から作られているものであるから、火葬の際、綿繊維の効果により火力が強くなり、火葬時間の短縮と遺骨が白く綺麗に火葬され、火葬関係者の火葬待ち時間の短縮が計られる効果があるほか、火葬の際、綿繊維の効果により火力が強くなるとしても、焼却炉の損傷はない等の優れた効果を有するものである。
【考案を実施するための最良の形態】
【００１１】  したがって、本考案お棺に納められた遺体の装飾は、純綿繊維製品から作られているものであるから軽量でその取扱いは極めて簡単であり、その飾り付けは専門家であれば、家族、親族の見ている前で飾り付けが簡単に出来るものである。
【実施例】
【００１２】  図１は本考案の納棺時に綿繊維で飾られた花嫁衣裳１３の完成図である。
図２乃至図１４は、本考案の納棺時に綿繊維で作成される花嫁衣裳の１２種類の部品「だて襟１、着物襟２、帯３、帯留め４、着物下５、裾除け６、内かけ７、顔あて８、頭あて９、綿帽子１０、懐剣１１、履物１２」についての配置と作成について説明したものである。
図１５乃至図１７は、従来技術で示された「特許文献１乃至実用文献２・３」の各発明及び考案に係る説明図である。【００１３】  以下、本考案に係る考案について、図面に基づいてその手順を説明します。
１番目には、図２の（ａ）に示すように、遺体を納棺し、白い布１４を被せ、だて襟１の２枚を右から順次置いて左前になるよう飾り付けを行うものである。「図２（ａ）、（ｂ）、（ｃ）参照。」
２番目には、図３の（ａ）に示すように、だて襟１を左前に飾り付けた状態の上に家紋２ｃを圧印した、着物襟２を左前になるように着物襟２ａ，２ｂの飾り付けを行うものである。「図３（ａ）、（ｂ）、（ｃ）、（ｄ）参照。」【００１４】  ３番目には、図４の（ａ）に示すように、家紋２ｃを圧印した、着物襟２を左前に飾り付け、その下側に帯３を配置し、飾り付けを行うものである。
そして、帯３の作成方法は、図（ｃ）に示すとおり一点鎖線３ａは山折りにし２点鎖線３ｂは谷折りにして、帯の折り込みを行い、帯３を作り飾り付けを行うものである。「図４（ａ）、（ｂ）、（ｃ）、（ｄ）参照。」【００１５】  ４番目には、図５の（ａ）に示すように、帯３の横中央部分に帯留め４を配置して飾り付けを行うものである。
帯留め４は、帯留め用の細長い綿４ａを横に丸めて紐状４ｂを２本作り、その２本をそれぞれ二つ折りにして、その湾曲部分に２本の末端をそれぞれ上から下へと下から上へと交差するように通して双方の末端部分４ａ１，４ｂ２を引くと帯留め４が出来あがるものである。「図５（ａ）、（ｂ）、（ｃ）、（ｄ）、（ｅ）参照。」【００１６】  ５番目には、図６の（ａ）に示すように、帯３の下側部分に着物下を配置して飾り付けを行うものである。
着物下の折り込みは、（ｃ）に示すよう左前に見えるようにタックをとった折り込み状態に形成するもので、一点鎖線５ａは山折りに、２点鎖線５ｂは谷折りにして作成するものである。「図６（ａ）、（ｂ）、（ｃ）、（ｄ）参照。」
６番目には、図７の（ａ）に示すように、着物下の下端部分に、裾除け６を配置するものである。「図７（ａ）、（ｂ）、（ｃ）参照。」【００１７】  ７番目には、図８の（ａ）に示すよう両脇に内かけ上下７ａ１，７ａ２と７ａ１，７ｂ２を配置して飾り付けを行うものである。
内かけ７の折り込みは、（ｃ）に示すよう内かけ用の縦長の長方形の綿７を両外側の２点鎖線７ｃ１，７ｃ２を内側に谷折りし、更に、中央の２点鎖線７ｄを内側に谷折りして作成する。そして内かけの上７ａ１，７ａ２と下７ｂ１，７ｂ２の繋ぎは上側の下端下側の上段を差し込むようにして繋ぎ、飾り付けを行うものである。「図８（ａ）、（ｂ）、（ｃ）、（ｄ）、（ｅ）参照。」【００１８】  ８番目には、図９の（ａ）に示すよう、顔の両脇に顔あて８ａ，８ｂを配置して飾り付けを行うものである。
顔あて９図（ｃ）は、顔あて用の横長の長方形の綿で図示していないが２枚用意してあり顔の左右に置かれる、示すように、一点鎖線８ｃは山折りにし、２点鎖線８ｄは、谷折りに折り込んで顔あて８ａ，８ｂを作成し飾り付けを行うものである。「図９（ａ）、（ｂ）、（ｃ）、（ｄ）参照。」【００１９】  ９番目には、図１０の（ａ）に示すよう、頭の上に頭置きを配置して飾り付けを行うものである。
頭置き１０図（ｃ）は、頭置き用の横長な長方形の綿で、図（ｃ）に示すように、一点鎖線９ａは山折りにし、頭あてを作成するものである。「図１０（ａ）、（ｂ）、（ｃ）、（ｄ）参照。」【００２０】  １０番目には、図１１頭と顔の部分に綿帽子を配置して飾り付けを行うものである。
綿帽子１１図（ｃ）は、綿帽子用の横長な長方形の綿で示すように、一点鎖線１０ａは山折りにし、さらにこれを図（ｄ）に示すよう、少し曲線からなる一点鎖線１０ｂを山折りにし、膨らませて綿帽子を作成し飾り付けを行うものである。「図８（ａ）、（ｂ）、（ｃ）、（ｄ）、（ｅ）参照。」【００２１】  １１番目には、懐剣１１の作成であるが図１２の（ａ）乃至（ｇ）に作成手順を示している。図（ａ）に示すよう懐剣は、幅８ｃｍ長さ３０ｃｍの大きさのものを左側から２点鎖線１１ａ，１１ｂを谷折りして図（ｂ）に示すようこれを二つ折りして懐剣１１を形成する。
そして、図（ｃ）に示す両端に房の付いたに紐を用いて図（ｄ）乃至図（ｇ）のように結んで懐剣を作りを完成する。この懐剣は、図１４（ａ）に示すとおり、右側の着物襟２と帯３の箇所に懐剣１１を差し込み懐剣１１の飾り付けを完了するものである。【００２２】  １２番目には、図１３（ａ）に示すとおり履物１２は、左右あるので２枚の幅２５ｃｍ長さ６０ｃｍ大きさの綿を端から１０ｃｍ程をそれぞれ手でちぎり離し、その切り離した側が、外側になるように巻き込んで図（ｂ）に示す紐状１２ｂにする。その末端を５ｃｍ程を切り離し、その短い方は図（ｃ）に示す紐状１２ｃにして鼻緒として用い、長い方は履物１２の緒として用いるので２組作成する。【００２３】  一方、履物用の２枚の綿図は、（ｄ）に示すとおり両側を５ｃｍ巾に内側にそれぞれ２点鎖線１２ｄ，１２ｅ谷折りし、それを上部３分の１を外側になるよう１点鎖線１２ｆを山折りし、下部の３分の１を内側になるよう２点鎖線１２ｇを谷折りして、履物の原型を２組作る。
その原型をそれぞれ図（ｅ）に示すとおり上部山折り部分の両端部点線１２ｈをそれぞれ３角に折り込み、更に、下端部の両端点線１２ｈをそれぞれ３角に折り込んで図（ｆ）を形成する。【００２４】  そして、図（ｇ）に示すとおりそれぞれ表の上部内側から３分の１のところ１２ｉを３ｃｍ程を切り込みを入れる。図（ｈ）、図（ｉ）の点線で示すそれぞれ端部１２ｊを３角に山折りし、更に、上辺１２ｋを少し山折りして履物を形成し、そこに図（ｊ）乃至図（ｍ）に示す履物の緒及び鼻緒をそれぞれ端部１２ｍを差し込んで履物１２図（ｎ）を完成するものである。この履物１２は図１４（ａ）に示すとおり、着物下の下端部中央部分に一足揃えて置くことにより飾り付けを完了するものである。【００２５】  また、他の実施例としては図示していないが、請求項２に記載してあるように女性に係る花嫁衣裳のみでなく、男性に付いては、紋付羽織袴姿、シルクハットにモーニング姿の衣裳を用意し、女性に付いてはウエディングドレス姿のものが用意されている。
そして、納棺の際には、故人の生前の活動されていた最も相応しい姿を思い出して貰うべく、家族又は親族が選定し、実施するものである。
【図面の簡単な説明】
【００２６】
【図１】本考案の納棺時に綿繊維で飾られた花嫁衣裳１３の完成図である。
【図２】（ａ）遺体を納棺し、白い布を被せ、だて襟を左前に飾り付けた棺の平面説明図である。（ｂ）遺体を納棺し、白い布を被せ、だて襟を左前に飾り付けた棺の側面を取除いた側面説明図である。（ｃ）だて襟平面図である。
【図３】（ａ）遺体を納棺し、白い布を被せ、だて襟を左前に飾り付けた状態の上に家紋を圧印した着物襟を左前に飾り付けた棺の平面説明図である。（ｂ）遺体を納棺し、白い布を被せ、だて襟を左前に飾り付けた状態の上に家紋を圧印した着物襟を左前に飾り付けた棺の側面を取除いた側面説明図である。（ｃ）着物襟右側平面図である。（ｄ）着物襟左側平面図である。
【図４】（ａ）遺体を納棺し、白い布を被せ、だて襟を左前に飾り付けた状態の上に家紋を圧印した着物襟を左前に飾り付け、その下側に帯を配置した棺の平面説明図である。（ｂ）遺体を納棺し、白い布を被せ、だて襟を左前に飾り付けた状態の上に家紋を圧印した着物襟を左前に飾り付け、その下側に帯を配置した棺の側面を取除いた側面説明図である。（ｃ）帯の折り込み状態説明平面図である。（ｄ）帯の完成平面図で点線は折り込み状態を説明するものである。
【図５】（ａ）図５帯の横中央部分に帯留めを配置した棺の平面説明図である。（ｂ）図４帯の横中央部分に帯留めを配置した棺の側面を取除いた側面説明図である。（ｃ）帯留めの材料平面図である。（ｄ）上記帯留めの材料を横に丸めて紐状にした平面説明図である。（ｅ）上記帯留めの作成状態平面説明図である。
【図６】（ａ）図６帯の下側部分に着物下を配置した棺の平面説明図である。（ｂ）図５帯の下側部分に着物下を配置し、棺の側面を取除いた側面説明図である。（ｃ）着物下の折り込み状態説明平面図である。（ｄ）着物下の完成平面図で、左前に見えるようにタックをとった折り込み状態を説明するものである。
【図７】（ａ）図７の着物下の下端部分に、裾除けを配置した棺の平面説明図である。（ｂ）図６の着物下の下端部分に、裾除けを配置し、棺の側面を取除いた側面説明図である。（ｃ）裾除けの平面図である。
【図８】（ａ）図８の両脇に内かけ上下を配置した棺の平面説明図である。（ｂ）図７の両脇に内かけ上下を配置し、棺の側面を取除いた側面説明図である。（ｃ）内かけの材料平面図で、一点鎖線及び鎖線は、折り込み状態説明平面図である。（ｄ）前記一点鎖線の折り込み状態説明斜視図である。（ｅ）内かけ完成斜視図である。
【図９】（ａ）図９の顔の両脇に顔あてを配置した棺の平面説明図である。（ｂ）図８の顔の両脇に顔あてを配置し、棺の側面を取除いた側面説明図である。（ｃ）顔あての材料平面図で、一点鎖線及び鎖線は、折り込み状態説明平面図である。（ｄ）顔あて完成斜視図である。
【図１０】（ａ）図１０の頭の上に頭あてを配置した棺の平面説明図である。（ｂ）図９の顔の上に頭あてを配置し、棺の側面を取除いた側面説明図である。（ｃ）頭あての材料平面図で、一点鎖線は、折り込み状態説明平面図である。（ｄ）頭あて完成斜視図である。
【図１１】（ａ）図１１綿帽子を配置した棺の平面の頭の上に説明図である。（ｂ）図１０綿帽子を配置し、棺の側面を取除いた側面説明図である。（ｃ）綿帽子の材料平面図で、一点鎖線は、折り込み状態説明平面図である。（ｄ）綿帽子の材料平面図の一点鎖線を折り込んだ状態説明平面図で、一点鎖線はさらに折り込む状態の説明平面図である。（ｅ）綿帽子の完成斜視図である。
【図１２】（ａ）乃至（ｇ）は懐剣の作成説明図である。
【図１３Ａ】（ａ）乃至（ｇ）は履物の作成説明図である。
【図１３Ｂ】（ｈ）乃至（ｍ）は履物の作成説明図である。
【図１４】（ａ）図１４の右側の着物襟と帯の場所に懐剣を差し込み，足の部分に履物を配置した棺の平面説明図であると共に花嫁姿の完成図である。（ｂ）図１１の右側の着物襟と帯の場所に懐剣を差し込み，足の部分に履物を配置し、棺の側面を取除いた側面説明図である。
【図１５】従来技術「特許文献１」の特開平特開２００３−１０２６７「遺体の顔を覆うベール」に係る発明の説明図である。
【図１６】従来技術「実用文献２」の実用新案登録第３０８２７８７号「遺体用ドレス掛け布団」に係る考案の説明図である。
【図１７】従来技術「実用文献３」の実用新案登録第３０８２９００号「ファイナルステージ用ベール」に係る考案の説明図である。
【符号の説明】
【００２７】１  だて襟
２  着物襟
３  帯
４  帯留め
５  着物下
６  裾除け
７  内かけ
８  顔あて
９  頭あて
１０  綿帽子
１１  懐剣
１２  履物
１３  花嫁衣裳